(57)【特許請求の範囲】
【請求項１】
生育基盤材を内包可能な袋状又は筒状の第１の層と、
前記第１の層の外面に添着されている種子と、
前記種子を前記第１の層とで挟み込むように、前記第１の層の外面全体を被覆している第２の層と、を備え、
前記第１の層は、内部に前記生育基盤材を保持可能な非水解性を有し、且つ、前記種子から生えた根が通過することを許容する通根性を有し
前記第２の層は、腐食性、分解性又は水解性シートからなり、経時とともに前記種子から発芽した植生植物の芽が通過することを許容する通芽性を有することを特徴とする植生袋。
【請求項２】
前記第１の層は、根が通過可能な隙間を有する非水解性シート、又は、メッシュ状の非水解性シートからなることを特徴とする請求項１に記載の植生袋。
【請求項３】
生育基盤材を内包可能な袋状又は筒状の第１の層と、
前記第１の層の外面全体を被覆している中間層と、
前記中間層の外面に添着されている種子と、
前記種子を前記中間層とで挟み込むように、前記中間層の外面全体を被覆している第２の層と、を備え、
前記第１の層は、内部に前記生育基盤材を保持可能な非水解性を有し、且つ、前記種子から生えた根が通過することを許容する通根性を有し
前記第２の層は、腐食性、分解性又は水解性シートからなり、経時とともに前記種子から発芽した植生植物の芽が通過することを許容する通芽性を有し、
前記中間層は、通根性を有していることを特徴とする植生袋。
【請求項４】
請求項１から３のいずれか一項に記載の複数の植生袋がマット状に連結されてなることを特徴とする植生マット。
【発明の詳細な説明】
【技術分野】
【０００１】
本発明は、植生領域を緑化するための植生袋及び該植生袋を用いた植生マットに関する。
【背景技術】
【０００２】
各種法面や新規造成地等の施工面においては、その緑化を積極的に行って、法面等の美化と共に土砂の流失を防止することが行われている。そして、法面を緑化すべく、土壌、種子、肥料、保水材、土壌菌などの生育基盤材（又は植生基材）を植生用の袋体（以下、植生袋という）に充填し、この植生袋を法面の植生域にアンカーなどを用いて固定する。
【０００３】
例えば、特許文献１は、法面に対する植生を行うことができる植生材袋（１０）を開示している。植生材袋（１０）は、肥料、土壌改良材、保水材等の植生基材（３０）を包み込んで形成されて、植生用網状体（２０）の袋状部（２１）内に収納される。この植生材袋（１０）の谷側となる下側約半分を水に対して非溶解性の材料によって非溶解部（１１）を形成するとともに、植生材袋（１０）の山側となる上側約半分を水に対して溶解性のある材料によって溶解部（１２）を形成した。雨等が降れば、溶解部（１２）は、その溶解を始めて当該植生材袋（１０）内の植生基材（３０）が水分を吸収し得る状態にするとともに、徐々にまたは十分な雨があれば早期に消失する。これに対して、植生材袋（１０）の非溶解部（１１）は雨等に対して溶解しないので、例えば植生用網状体（２０）の袋状部（２１）内に残留したままであるとともに、この非溶解部（１１）は山側に向けて開口した状態を維持するものとなる。このため、植生材袋（１０）内に包まれていた植生基材（３０）の一部は、この非溶解部（１１）によって保持されたままとなる。非溶解部（１１）は、植生材袋（１０）内に包まれていた植生基材（３０）の一部の保持を行っているものであり、これによって法面（４０）の植生作用が継続される。なお、（）内に特許文献１の符号を示した。
【先行技術文献】
【特許文献】
【０００４】
【特許文献１】特開平６−７０２７号公報
【発明の概要】
【発明が解決しようとする課題】
【０００５】
特許文献１の植生袋では、降雨により植生袋（植生材袋（１０））の上側半分が溶解して開口が形成され、内容物である生育基盤材が上方に露出することとなる。そのため、激しい降雨などにより、生育基盤材が植生袋の開口から流亡する虞があった。つまり、肥料などの植生植物の生育に有用な生育基盤材が降雨によって流亡し、植生植物の生育に十分に寄与できないことが問題であった。また、風や雨水等が開口を介して生育基盤材に直接作用することにより、生育基盤材の表面が動いて、発芽した植物に根切れ等が生じ、植物の生育が阻害され易いことが問題であった。さらには、従来の植生袋では、生育基盤材全体に種子を混合するので、生育基盤材の深い位置にある種子は発芽することができずに無駄となっている。そのため、結果として種子量を多くすることが必要であり、その効率が悪いことが課題であった。
【０００６】
本発明は、上記欠点を解決するためになされたものであり、その目的は、内包する生育基盤材の流亡を長期的に防止し、且つ、植生袋内部に生育基盤材を安定的に維持することにより、植生領域を効率的に緑化することを可能とする植生袋、及び、該植生袋を用いた植生マットを提供することにある。
【０００７】
より具体的には、植生袋を構成し得る通根性素材と通芽性素材では必要とする機能（隙間の大きさ等）が異なり、本発明は、その違いを利用している。一般に、植物の根は、先端がとがった針のような形状をしている。この針のような形状をしていることにより、土壌のごくわずかな隙間にも根を伸長させることができるのである。そのため、通根性素材は（通芽性素材に比べて）隙間が小さい素材であっても、貫通して根を伸長させることができるという特徴がある。一方、植物の芽は、一部では先端がとがったものもあるが、多くが双葉状の形状をしている。そのため、出芽する際の抵抗が大きくなるので、出芽性素材には隙間が大きい素材、あるいは水解性の素材を使用し、植物の芽がスムーズに貫通できるようにする必要がある。本発明は、上述したような通根性・通芽性素材に求められる機能の違いに着目したものであり、性質の異なる２つの素材を組み合わせることにより、生育基盤材の流亡防止と植生植物の生育という相反する課題を解決しようとしたものである。
【課題を解決するための手段】
【０００８】
請求項１に記載の植生袋は、生育基盤材を内包可能な袋状又は筒状の第１の層と、
前記第１の層の外面に添着されている種子と、
前記種子を前記第１の層とで挟み込むように、前記第１の層の外面全体を被覆している第２の層と、を備え、
前記第１の層は、内部に前記生育基盤材を保持可能な非水解性を有し、且つ、前記種子から生えた根が通過することを許容する通根性を有し、
前記第２の層は、腐食性、分解性又は水解性シートからなり、経時とともに前記種子から発芽した植生植物の芽が通過することを許容する通芽性を有することを特徴とする。
【０００９】
請求項２に記載の植生袋は、請求項１に記載の植生袋において、前記第１の層は、根が通過可能な隙間を有する非水解性シート、又は、メッシュ状の非水解性シートからなることを特徴とする。
【００１３】
請求項３に記載の植生袋は、生育基盤材を内包可能な袋状又は筒状の第１の層と、
前記第１の層の外面全体を被覆している中間層と、
前記中間層の外面に添着されている種子と、
前記種子を前記中間層とで挟み込むように、前記中間層の外面全体を被覆している第２の層と、を備え、
前記第１の層は、内部に前記生育基盤材を保持可能な非水解性を有し、且つ、前記種子から生えた根が通過することを許容する通根性を有し
前記第２の層は、腐食性、分解性又は水解性シートからなり、経時とともに前記種子から発芽した植生植物の芽が通過することを許容する通芽性を有し、
前記中間層は、通根性を有していることを特徴とする。
【００１４】
請求項４に記載の植生マットは、請求項１から３のいずれか一項に記載の複数の植生袋がマット状に連結されてなることを特徴とする。
【発明の効果】
【００１５】
本発明の一形態の植生袋によれば、通根性を有する第１の層とその外面を覆う通芽性を有する第２の層との間に植生植物の種子が添着されている。第２の層が種子から発芽した植生植物の芽の通過を許容するように構成されているので、種子からの出芽が妨げられることがない。さらには、種子が地表面付近の発芽に好ましい位置に配置されるため、種子の発芽を効果的に促進することが可能である。つまり、種子をより効率的に発芽させることが可能である。さらに、種子が第２の層によって保護されているので、第２の層の存在時には、植生袋から流れ落ちる虞がほとんどない。そして、第１の層外面に種子が添着されているので、比較的強い流水によっても種子が流れ落ちることが抑えられる。他方、第１の層は、内部に生育基盤材を維持保持可能であり、且つ、種子から生えた根が通過することを許容する。また、第１の層は、非水解性を有し、降雨によって短期間で分解（水解）されることがないため、第１の層が長期間に亘って袋状又は筒状の原形を維持することができる。これにより、経時による種子や生育基盤材の流亡を抑えるとともに、生育基盤材の植生袋内での流動を抑え、生育基盤材を長期に亘って内部に安定的に維持することができる。したがって、本発明の植生袋は、植生植物の成長を生育基盤材で長期的に補助し、植生領域をより効率的に緑化することが可能である。
【００１６】
本発明のさらなる形態の植生袋によれば、非水解性を有する第１の層外面に植生植物の種子が添着されている。第１の層は、内部に生育基盤材を維持可能であり、且つ、種子から生えた根が通過することを許容する。すなわち、本発明の植生袋では、第１の層が非水解性であるので、降雨によって短期間で分解（水解）されることがないため、第１の層が長期間に亘って袋状又は筒状の原形を維持することができる。さらには、種子が地表面付近の発芽に好ましい位置に配置されるため、種子の発芽を効果的に促進することが可能である。つまり、種子をより効率的に発芽させることが可能である。また、第１の層外面に種子が添着されているので、比較的強い流水によっても種子が流れ落ちることが抑えられる。これにより、経時による種子や生育基盤材の流亡を抑えるとともに、生育基盤材の植生袋内での流動を抑え、生育基盤材を長期に亘って内部に安定的に維持することができる。したがって、本発明の植生袋は、植生植物の成長を生育基盤材で長期的に補助し、植生領域をより効率的に緑化することが可能である。
【００１７】
本発明のさらなる形態の植生袋によれば、通根性を有する第１の層とその外面を覆う通芽性を有する第２の層との間に中間層が介在し、該中間層の外面に植生植物の種子が添着されている。第２の層が種子から発芽した植生植物の芽の通過を許容するように構成されているので、種子からの出芽が妨げられることがない。さらには、種子が地表面付近の発芽に好ましい位置に配置されるため、種子の発芽を効果的に促進することが可能である。つまり、種子をより効率的に発芽させることが可能である。さらに、種子が第２の層によって保護されているので、第２の層の存在時には、植生袋から流れ落ちる虞がほとんどない。他方、第１の層は、内部に生育基盤材を維持保持可能であり、且つ、種子から生えた根が通過することを許容する。また、第１の層は、非水解性を有し、降雨によって短期間で分解（水解）されることがないため、第１の層が長期間に亘って袋状又は筒状の原形を維持することができる。これにより、経時による種子や生育基盤材の流亡を抑えるとともに、生育基盤材の植生袋内での流動を抑え、生育基盤材を長期に亘って内部に安定的に維持することができる。したがって、本発明の植生袋は、植生植物の成長を生育基盤材で長期的に補助し、植生領域をより効率的に緑化することが可能である。
【図面の簡単な説明】
【００１８】
【図１】本発明の一実施形態（第１実施形態）の植生マットの斜視図。
【図２】本発明の一実施形態（第１実施形態）の植生袋の斜視図。
【図３】図２の植生袋の断面図。
【図４】図２の植生袋に生育基盤材を充填した状態を示す断面図。
【図５】図１の植生袋の製造工程を説明するための概略図。
【図６】本実施形態の植生マットを法面に設置した法面植生構造を示す概略斜視図。
【図７】図６の法面植生構造の概略断面図。
【図８】図７の法面植生構造の所定期間経過後の状態を示す概略図。
【図９】図８の法面植生構造の所定期間経過後の状態を示す概略図。
【図１０】本発明の別実施形態（第２実施形態）の植生袋の概略断面図。
【図１１】本発明の別実施形態（第３実施形態）の植生袋の概略断面図。
【発明を実施するための形態】
【００１９】
以下、本発明の実施形態について図面を参照しつつ説明する。なお、以下の説明において参照する各図の形状は、好適な形状寸法を説明する上での概念図又は概略図であり、寸法比率等は実際の寸法比率とは必ずしも一致しない。つまり、本発明は、図面における寸法比率に限定されるものではない。
【００２０】
［第１実施形態］
図１は、本発明の一実施形態の植生マット１０の斜視図である。この植生マット１０は、縦横所定の大きさ及び所定の厚みを有する柔軟な平面長手状のマットである。当該植生マット１０は、複数の植生袋１００と、該複数の植生袋１００が装着される略平面状に延在する網状体１１と、を備えてなる。植生マット１０は、長尺の帯体として長手方向に延びており、ロール状に巻回可能である。本実施形態では、植生袋１００は、独立した細長いチューブ（筒）状の袋体である。この各植生袋１００の長手方向が植生マット１０の幅方向（長手方向に直交する方向）に向くように、配置されている。他方、網状体１１は、ネットを２重にしたものであり、各植生袋１００を収容可能に幅方向に延びる、複数の筒状の収容部１１ａを有している。そして、各収容部１１ａに植生袋１００がそれぞれ差し込まれている。すなわち、網状体１１によって複数の植生袋１００が収容保持されることにより、植生マット１０が構成されている。なお、本実施形態では、各植生袋１００が隣接配置されているが、空の収容部１１ａを介して植生袋１００を間隔を開けて設置してもよい。
【００２１】
図２は、本実施形態の植生袋１００の斜視図である。図２に示すように、植生袋１００は、細長いチューブ状に形成されている。植生袋１００は、生育基盤材１０７を内包可能な内部空間を有する。そして、植生袋１００は、生育基盤材１０７を受け入れ可能に一端で開放されており、他端で閉塞されている。植生袋１００の開放端は、生育基盤材を詰めた後にステープラや接着剤などにより封止される。
【００２２】
図３は、本実施形態の植生袋１００（生育基盤材封入なし）の断面図であり、図４は、該植生袋１００（生育基盤材封入済み）の断面図である。図３及び図４に示すとおり、植生袋１００は、生育基盤材１０７を内包可能な内部空間を定める第１の層１０１と、該第１の層１０１の外面に添着されている種子１０５と、該種子１０５とともに第１の層１０１の外面全体を被覆している第２の層１０３とを備える。第２の層１０３は第１の層１０１外面に接着されており、両者の間にほとんど隙間がないように第１及び第２の層１０１、１０３が互いに接合されている。すなわち、第１の層１０１が植生袋１００の内層を構成し、第２の層１０３が植生袋１００の外層を構成し、第１の層１０１と第２の層１０３との間に植生植物の種子１０５が挟み込まれている。種子１０５は、移動しないように層間に保持されている。なお、種子１０５とともに土壌、肥料、保水材、土壌菌などを混合して保持してもよい。
【００２３】
植生植物の種子１０５は、第１の層１０１外面全体に亘ってほぼ均等に接着（固着）されている。植生に必要な層状に張り付けられる種子１０５の量は、従来のような生育基盤材（植生基材）の中に種子を均一に混ぜる場合と比べて、少量で十分である。また、種子１０５は、第２の層１０３によって外方から覆われているので、植生袋１００（植生マット１０）の輸送時や植生領域への設置直後において、種子１０５が落下や流れ落ちたり、傷ついたりすることから保護されている。
【００２４】
また、植生袋１００は柔軟な素材からなり、生育基盤材１０７を充填すると、内部空間が膨らんで、図３のような形態から図４のようなチューブ状の形態に変形する。図４において、例えば、植生袋１００の厚みが３ｃｍから１０ｃｍ程度になるように、植生基盤材１０７が植生袋１００に充填されている。生育基盤材１０７は、土壌、肥料、保水材、土壌菌などを単体又は混合物として含んでいる。本実施形態では、生育基盤材１０７には種子が含まれていないが、種子が混入されてもよい。
【００２５】
第１の層１０１は、非水解性シートからなり、降雨によっても原形を維持可能に構成されている。特には、植生袋１００の内容物を長期に亘って流出させないため、施工後少なくとも３ヶ月はその形状を維持できる非水解性を有する素材で第１の層１０１が形成されている。これにより、第１の層１０１は、長期に亘って内部に生育基盤材１０７を保持可能である。また、第１の層１０１は、内部の生育基盤材１０７の流出を抑えるとともに、（複数又は多数の）種子１０５から生えた根が通過することを許容する通根性を有する素材（根が通過可能な隙間を有する非水解性シート又はメッシュ状の非水解性シート）で構成されている。すなわち、第１の層１０１は、生育基盤材１０７が第１の層１０１を通過して外部に流出することを抑えつつ、種子１０５から生えた根が通過可能な隙間（目合い又は開口）を有している。より具体的には、第１の層１０１の目合い（又は開口幅）は、０．１ｍｍ〜１０ｍｍであることが好ましい。目合いを０．１ｍｍ以上とすることにより、一般的な植生植物の根を通過させることが可能である。そして、目合いを１０ｍｍ以下とすることにより、少なくとも生育基盤材１０７の比較的大きい粒成分が目合いを通過することが抑えられる。さらには、第１の層１０１の目合いは、０．１ｍｍ〜１ｍｍであることがより好ましい。この範囲では、植生植物の根の通過を許容しつつ、生育基盤材１０７中の細かい粒子の流亡をも効果的に抑えることを可能である。なお、本実施形態では、第１の層１０１は、植生植物の根の通過を許容するが、通芽性を有しない（植生植物の芽の通過を規制する）目合い（０．１ｍｍ〜１ｍｍ）で構成されている。
【００２６】
例えば、第１の層１０１は、不織布、織布、紙（非水解性）、非水溶性フィルム、網状体又はこれらの組み合わせから選択され得る。より具体的には、不織布及び織布の素材は、ポリエステル、ポリエチレン、ポリプロピレン、ナイロン、ポリ乳酸、レーヨン、コットン又はこれらの混合物等から選択可能である。好ましくは、目付量が５〜１００ｇ／ｍ２の範囲である。より好ましい目付量の範囲は、５〜５０ｇ／ｍ２であり、この範囲の不織布又は織布は多くの種類の植生植物の根を通過させる通根性を有し得る。非水溶性フィルムの素材は、ポリエチレン、ポリプロピレン、塩ビ等から選択可能である。網状体の素材は、ポリエステル、ポリエチレン、ポリプロピレン、ナイロン又は金網等から選択可能である。例えば、不織布や紙やフィルムなどのような、網目を有しないシート材料が選択された場合、複数の開口が連続的に面状に形成されることにより、「メッシュ状」が構成される。すなわち、本発明における「メッシュ状」は、網状体だけでなく、シートに複数の開口や空隙が連続的に形成されたものをも含んでいる。開口の形状は、丸形、四角形等の任意の形状をとり得る。そして、シートに空隙や開口を形成した場合、「目合い」は、網目だけでなく空隙及び開口の大きさを示す指標となる。なお、第１の層１０１の厚みは、材料等に応じて任意に定めることが可能である。
【００２７】
第２の層１０３は、経時とともに種子１０５から発芽した植生植物の芽が通過することを許容するように構成されている。本実施形態では、第２の層１０３は、水解性（水溶性、水脆弱性）シートからなる。水解性シートは、降雨により水解する、又は、水溶する等、設置後に短期間（１〜数回の降雨）で容易にその形状や強度を失うことができるものである。該第２の層１０３は、腐食性又は分解性シートであってもよい。腐食性又は分解性シートは、設置後、短期間（１〜３ヶ月以内）で分解又は腐植して原形を留めないものである。また、本実施形態の第２の層１０３は、有意な隙間（網目、目合い）を有していない。しかしながら、第１の層１０１と第２の層１０３の間に種子１０５を挟み込んで保持することが可能であれば、第２の層１０３に多数の開口が形成されていてもよい。
【００２８】
例えば、第２の層１０３は、水解性の不織布、水解性の織布、水溶性フィルム、紙又はこれらの組み合わせ等から選択可能である。より具体的には、水解性の不織布及び織布は、ポリエステル、ポリエチレン、ポリプロピレン、ナイロン、ポリ乳酸、レーヨン、コットン、又は、これらの混合物を、水溶性の接着剤（ポリビニルアルコール、ＰＶＡ）等で結合したものである。また、水溶性フィルムは、ＰＶＡフィルム等から選択可能である。なお、第２の層１０３の厚みは、材料等に応じて任意に定めることが可能である。
【００２９】
次に、図５を参照して、植生袋１００及び植生マット１０の製造方法を説明する。まず、（第１の層１０１を構成する）長手状の第１シート１０１’、及び、（第２の層１０３を構成する）長手状の第２シート１０３’を準備する。図５（ａ）に示すとおり、第１シート１０１’の外面に、（斜線で示した）接着剤とともに種子１０５を略均一に播種（散布）する。次に、第１シート１０１’及び種子１０５を第２シート１０３’で被覆するように、第１シート１０１’に第２シート１０３’を接着剤で接着する。なお、接着剤は、水性接着剤などの一般的な接着剤を使用することができる。そして、図５（ｂ）に示すように、第１シート１０１’、 第２シート１０３’及び種子１０５を一体化したシートを折り曲げて、その幅方向の縁を接合する。本実施形態では、縫合により接合されるが、接着剤等で接合されてもよい。さらに、長尺方向の一端を同様に接合することにより、他端が開放した細長い植生袋１００を製造することができる。このように、第１の層１０１と第２の層１０３とを一体化した状態で植生袋１００を形成するので製造工程を簡略化することができる。続いて、該複数の植生袋１００に開口から生育基盤材１０７を充填して開口を接合する。最後に、生育基盤材１０７を封入した複数の植生袋１００を網状体１０の各収容部に差し込むことにより、植生マット１０を製造することができる。
【００３０】
なお、ここで説明した方法は、一例にすぎず、当業者であれば、各工程の順序を入れ替え、又は、状況に応じて不要な工程を省略又は変更することも可能である。例えば、先に袋状に形成した第１の層１０１の外面に、接着剤とともに種子１０５を散布し、第１の層１０１及び種子１０５を第２の層１０３で外側から被覆するように、第２のシート１０３を第１の層１０１外面に接着してもよい。
【００３１】
続いて、図６乃至図９を参照して、本実施形態の植生マット１０を法面Ｇに設置した法面植生構造を説明する。なお、説明の便宜上、図７乃至９において、網状体１１を仮想線で表した。
【００３２】
図６は、植生マット１０を法面Ｇに設置した直後の法面植生構造の概略斜視図であり、図７は、その概略断面図である。図６及び図７に示すように、各植生袋１００に生育基盤材１０７が十分に充填された状態の植生マット１０が法面Ｇに敷設されている。植生袋１００の長手方向が法面Ｇの傾斜方向と直交する方向に沿うように、植生マット１０が配置されている。換言すると、植生マット１０の長尺方向が法面Ｐの傾斜方向と一致している。法面Ｇの面積に応じて、複数の植生マット１０を幅方向に並設し、法面Ｇの植生領域全体を覆ってもよい。図７の設置直後の法面植生構造では、第１の層１０１と第２の層１０３との間に種子１０５を挟み込み、種子１０５をその場に安定的に留めている。
【００３３】
図８は、設置から所定期間経過後の法面植生構造を示している。図８に示すように、降雨によって第２の層１０３が部分的に分解（水解又は水溶）され、脆くなっている（説明の便宜上、図８に脆性の第２の層１０３を点線で示した）。そして、この脆い第２の層１０３を、種子１０５の芽が突き破って伸び出ている。なお、第２の層１０３が完全に分解されずに残っているように図８に示したが、完全に分解された状態で出芽してもよい。他方、第１の層１０１は、ほぼ完全に袋状の原形を維持している。つまり、植生袋１００は、内部に生育基盤材１０７を流亡させたり、袋内部で流動させることなく安定的に保持している。また、種子１０５が第１の層１０１外面に接着されているので、比較的強い水流によっても種子１０５が流れ落ちることがほとんどない。そして、種子１０５から伸び出た根が第１の層１０１を貫通し、生育基盤材１０７に伸長している。そして、図９に示すように、経時とともに植生植物がさらに成長すると、第２の層１０３が完全に分解され、植生植物の根が地面側の第１の層１０１を貫通して、地中に伸長する。この状態においても、第１の層１０１内部に生育基盤材１０７が保持されているため、長期間（少なくとも３ヶ月）に亘って生育基盤材１０７は植生植物の生育を緩効的に補助することができる。
【００３４】
以下、本発明の一実施形態の植生袋１００（植生マット１０）の作用効果について説明する。
【００３５】
本実施形態の植生袋１００（植生マット１０）によれば、非水解性シートからなる第１の層１０１とその外面を覆う第２の層１０３との間に植生植物の種子１０５が添着されている。第２の層１０３が種子１０５から発芽した植生植物の芽の通過を許容するように構成されているので、種子１０５からの出芽が妨げられることがない。また、種子１０５が地表面付近の発芽に好ましい位置に配置されるため、種子１０５の発芽を効果的に促進することが可能である。さらに、種子１０５が第２の層１０３によって保護されているので、第２の層１０３の存在時には，植生袋１００から流れ落ちることがほとんどない。そして、第１の層１０１外面に種子１０５が添着（接着）されているので、比較的強い流水によっても種子１０５が流れ落ちることが抑えられる。他方、第１の層１０１は、内部に生育基盤材１０７の流亡を規制し、且つ、種子１０５から生えた根が通過することを許容する目合いを有している。すなわち、本実施形態の植生袋１００では、第１の層１０１が非水解性シートからなるので、短期間で降雨によって分解（水解）されることがないため、第１の層１０１が長期間（少なくとも３ヶ月）、袋状又は筒状の原形を維持することができる。さらに、第１の層１０１の目合い（隙間）の大きさが、生育基盤材１０７の流出を抑えるとともに植生植物の根が通過可能に構成されている。これにより、経時による種子１０５や生育基盤材１０７の流亡を抑えるとともに、生育基盤材１０７の植生袋１００内での流動を抑え、生育基盤材１０７を長期に亘って内部に安定的に維持することができる。
【００３６】
さらに、本実施形態の植生袋１００（植生マット１０）によれば、種子１０５が第１の層１０１外面にほぼ均等に接着され、ごく薄い層間に配置されている。それ故、緑化に必要な種子１０５の量は、従来のような生育基盤材（植生基材）の中に種子を均一に混ぜる場合と比べて少量とすることができる。すなわち、従来よりも少量の種子１０５で効果的に緑化することができるので、種子のコストを節減することが可能である。特に、希少価値の高い種子を用いる場合など、本実施形態の植生袋１００を用いることが有効である。また、種子１０５は、第２の層１０３によって外方から覆われているので、植生袋１００（植生マット１０）の輸送時や植生領域への設置直後において、落下したり、傷ついたりすることから保護されている。
【００３７】
したがって、本実施形態の植生袋１００は、植生植物の成長を生育基盤材１０７で長期的に補助し、植生領域をより効率的に緑化することが可能である。
【００３８】
［第２実施形態］
図１０は、本発明の別実施形態の植生袋２００を示している。図１０に示した植生袋２００は、通根性を有する非水解性シートからなり、生育基盤材２０７を内包可能な袋状又は筒状の第１の層２０１と、該第１の層２０１の外面に（接着剤を介して）接着されている種子２０５と、を備える。第１の層２０１は、内部に生育基盤材２０７を維持可能であり、且つ、種子２０５から生えた根が通過することを許容する目合い（又は隙間）を有している。すなわち、植生袋２００は、上記実施形態の植生袋１００から第２の層１０５を省略したものである。本植生袋２００においても、第１の層２０１外面に種子２０５が添着（接着）されているので、比較的強い流水によっても種子２０５が流れ落ちることが抑えられる。また、第１の層２０１の目合いの大きさが、生育基盤材２０７の流出を抑えるとともに植生植物の根が通過可能に構成されていることにより、発芽した植生植物の根が第１の層２０１内部の生育基盤材２０７に伸長し、生育基盤材２０７を長期に亘って内部に維持し、生育基盤材の流亡を抑えることができる。したがって、本実施形態の植生袋２００は、植生植物の成長を生育基盤材１０７で長期的に補助し、植生領域をより効率的に緑化することが可能である。
【００３９】
［第３実施形態］
図１１は、本発明の別実施形態の植生袋３００を示している。図１１に示した植生袋３００は、通根性を有する非水解性シートからなり、生育基盤材２０７を内包可能な袋状又は筒状の第１の層３０１と、第１の層３０１の外面全体を被覆している通根性を有する中間層３０２と、該中間層３０２の外面に添着されている種子３０５と、該種子３０５を中間層３０２とで挟み込むように、中間層３０２の外面全体を被覆している通芽性を有する第２の層３０３と、を備える。すなわち、植生袋３００は、上記実施形態の植生袋１００に中間層を追加したものである。種子３０５は、中間層３０２及び第１の層３０１を貫通して根を伸ばすことが可能であることから、第１実施形態と同様の作用効果を発揮することが可能である。
【００４０】
［変形例］
本発明は、上記実施形態に限定されず、種々の変形例を取り得る。以下、本発明の変形例を説明する。
【００４１】
（１）本実施形態の植生袋１００、３００では、第２の層１０３、３０３が水解性シートからなる。しかしながら、第２の層は、種子から発芽した植生植物の芽が通過することを許容する通芽性を有する素材であれば、メッシュ状の非水解性シートであってもよい。この場合、該非水解性シートの目合い（空隙、開口）は、０．５ｍｍ〜１０ｍｍであることが好ましい。例えば、該非水解性シートは、不織布、織布、紙、非水溶性フィルム、網状体又はこれらの組み合わせから構成可能である。より具体的には、不織布及び織布の素材は、ポリエステル、ポリエチレン、ポリプロピレン、ナイロン、ポリ乳酸、レーヨン、コットン又はこれらの混合物等から選択可能である。好ましくは、目付量が５〜１００ｇ／ｍ２の範囲である。非水溶性フィルムの素材は、ポリエチレン、ポリプロピレン、塩ビ等から選択可能である。網状体の素材は、ポリエステル、ポリエチレン、ポリプロピレン、ナイロン又は金網等から選択可能である。
【００４２】
（２）上記実施形態では、植生袋に生育基盤材が直接充填されたが、本発明はこれに限定されない。例えば、少なくとも通根性を有する袋に充填された生育基盤材を植生袋に差し込んで使用してもよい。また、植生袋の外面を通芽性（水溶性、腐食性、分解性）のシートでさらに被覆してもよい。
【００４３】
（３）本実施形態の植生袋１００は、チューブ状に形成されたものであるが、本発明の植生袋の形状はチューブ状に限定されない。例えば、植生袋は、所定厚みの円板、矩形板状等の任意の形状をとり得る。そして、網状体を介さずに、植生袋をつなぎ合わせて植生マットを構成してもよい。あるいは、植生袋を１つの大きい所定厚みの平板形状とし、袋内部に生育基盤材が移動しないように複数の仕切りを設けてもよい。
【００４４】
（４）上記実施形態では、種子１０５が第１の層１０１外面全体に亘って添着されているが、本発明はこれに限定されない。例えば、第１の層外面全体でなく、第１の層の地表面に配置される側の外面のみに種子を添着してもよい。これにより、種子の使用量をさらに節減することが可能である。
【００４５】
（５）上記実施形態では、第１の層１０１、第２の層１０３及ぶ種子１０５が互いに接着剤で固着されているが、本発明はこれに限定されない。例えば、接着剤を使用せずに、第１の層及び第２の層を接着せずに２重の袋となるように組み合わせ、その間に種子を配置してもよい。この場合、第１の層及び第２の層間の隙間を小さくすることにより、種子を層間で動かないように保持（つまり、添着）することができる。あるいは、種子のみを第１の層外面に接着し、種子が接着した第１の層に第２の層を接着せずに被せてもよい。
【００４６】
（６）上記実施形態では、植生袋１００及び植生マット１０が法面の緑化に用いられているが、本発明の植生袋及び植生マットは法面以外の緑化にも使用されてもよい。
【００４７】
なお、本発明は上述した複数の実施例に限定されるものではなく、本発明の技術的範囲に属する限りにおいて種々の態様で実施しうるものである。
【符号の説明】
【００４８】
１０        植生マット
１１        網状体
１００      植生袋（第１実施形態）
１０１      第１の層
１０３      第２の層
１０４      連結代
１０５      種子
１０７      生育基盤材
２００      植生袋（第２実施形態）
３００      植生袋（第３実施形態）
３０２      中間層
Ｇ          法面
【要約】
【課題】内包する生育基盤材の流亡を長期的に防止しつつ、植生領域をより効率的に緑化することを可能とする植生袋を提供する。
【解決手段】植生袋１００は、生育基盤材を内包可能な袋状又は筒状の第１の層１０１と、該第１の層１０１の外面に添着されている種子１０５と、該種子１０５を第１の層１０１とで挟み込むように、第１の層１０１の外面全体を被覆している第２の層１０３と、を備える。第１の層１０１は、内部に生育基盤材１０７を維持可能な非水解性を有し、且つ、種子１０５から生えた根が通過することを許容する通根性を有する。第２の層１０３は、経時とともに種子１０５から発芽した植生植物の芽が通過することを許容する通芽性を有する。
【選択図】図４【図１】
0006034470.tif 000002
【図２】
0006034470.tif 000003
【図３】
0006034470.tif 000004
【図４】
0006034470.tif 000005
【図５】
0006034470.tif 000006
【図６】
0006034470.tif 000007
【図７】
0006034470.tif 000008
【図８】
0006034470.tif 000009
【図９】
0006034470.tif 000010
【図１０】
0006034470.tif 000011
【図１１】
0006034470.tif 000012